(57)【要約】【課題】正確な検知ができると共に、プリント基板の配置に自由度があり、安価で、小型の検出スイッチを提供する。【解決手段】本発明の検出スイッチは、絶縁材からなり、収納部１ｃ、１ｄを有するケース１と、収納部１ｃに収納された状態で、ケース１に取り付けられたプリント基板６と、このプリント基板６に設けられた導電パターン７に接続された磁気変換素子５とを備え、磁気変換素子５は、収納部１ｃに収納され、ケース１に位置決めされた状態で、ケース１に取り付けられたため、このように、磁気変換素子５がケース１に位置決めされた状態で、ケース１に取り付けられると、従来に比して、磁気変換素子５の取付誤差が極めて小さくなり、磁気変換素子５の設置位置が正確で、確実な検知ができる検出スイッチを提供できる。【選択図】        図５
2004319220.tif 000002
【特許請求の範囲】
【請求項１】
絶縁材からなり、収納部を有するケースと、前記収納部に収納された状態で、前記ケースに取り付けられたプリント基板と、このプリント基板に設けられた導電パターンに接続された磁気変換素子とを備え、前記磁気変換素子は、前記収納部に収納され、前記ケースに位置決めされた状態で、前記ケースに取り付けられたことを特徴とする検出スイッチ。
【請求項２】
前記磁気変換素子は、前記プリント基板の上部から離れた位置に取り付けられたことを特徴とする請求項１記載の検出スイッチ。
【請求項３】
前記磁気変換素子を保持するための絶縁材からなる保持部材を有し、前記磁気変換素子を保持した前記保持部材が前記ケースに位置決めされた状態で、前記ケースに取り付けられたことを特徴とする請求項１、又は２記載の検出スイッチ。
【請求項４】
前記ケースは、前記プリント基板と前記保持部材を取り付けるための複数個の突起を有し、前記突起が前記プリント基板、及び前記保持部材に設けられた孔に挿通され、前記突起の先端部が熱カシメされて、前記プリント基板と前記保持部材が前記ケースに取り付けられたことを特徴とする請求項３記載の検出スイッチ。
【請求項５】
前記保持部材には、金属材からなる導体が埋設されて取り付けられ、前記磁気変換素子の端子が前記導体に接続されると共に、前記導体が前記導電パターンに接続されたことを特徴とする請求項３、又は４記載の検出スイッチ。
【請求項６】
前記収納部は、第１の収納部と、この第１の収納部より狭い第２の収納部を有し、前記第１の収納部には前記プリント基板が収納されると共に、前記第２の収納部には前記磁気変換素子と前記保持部材に設けられた前記磁気変換素子を保持する保持部が収納されたことを特徴とする請求項３から５の何れかに記載の検出スイッチ。
【請求項７】
前記ケースの前記収納部は、底壁と、この底壁の外周部を囲むように配設された側壁で形成され、前記収納部内には、絶縁材からなる封止樹脂が設けられ、前記封止樹脂によって、前記プリント基板、前記磁気変換素子、及び前記保持部材の外表面が封止されたことを特徴とする請求項３から６の何れかに記載の検出スイッチ。
【請求項８】
前記導電パターンに接続さえたノイズ低減用のコンデンサを有し、このコンデンサの外表面が前記封止樹脂によって封止されたことを特徴とする請求項７記載の検出スイッチ。
【請求項９】
前記磁気変換素子がバックルのラッチ状態と非ラッチ状態を検知するようにしたことを特徴とする請求項３から８の何れかに記載の検出スイッチ。
【発明の詳細な説明】
【０００１】
【発明の属する技術分野】
本発明は自動車等の移動物体のバックルスイッチに使用して好適な検出スイッチに関する。
【０００２】
【従来の技術】
従来の検出スイッチの図面を説明すると、図１９は従来の検出スイッチの平面図、図２０は従来の検出スイッチの正面図である。
【０００３】
次に、従来の検出スイッチの構成を図１９，図２０に基づいて説明すると、合成樹脂に成型品からなる箱形のケース５１は、周囲が壁部５１ａで囲まれた大きな第１の収納部５１ｂと、壁部５１ａで囲まれた小さな第２の収納部５１ｃを有する。
【０００４】
移動可能な摺動部材５２は、アーム部５２ａと、このアーム部５２ａに結合され、マグネット５３を取り付けた摺動部５２ｂを有し、この摺動部材５２は、摺動部５２ｂが第１の収納部５１ｂ内に位置した状態で、アーム部５１ａが壁部５１ａの前方から突出し、摺動部材５２は、第１の収納部５１ｂ内に収納されたコイルバネ５４のバネ性に抗して移動可能に取り付けられている。
【０００５】
プリント基板５５は、導電パターン（図示せず）を有し、この導電パターンには、ＩＣホール素子５６の端子５６ａが半田付けされて取り付けられている。
そして、このプリント基板５５は、第１の収納部５１ｂ内に配置されて取り付けられると共に、ＩＣホール素子５６がマグネット５３と対向可能となっている。
【０００６】
引出用のケーブル５７は、線材（図示せず）が絶縁材の被覆部５７ａによって被覆された構成を有し、ケーブル５７は、線材がプリント基板５５の導電パターンに半田付けされると共に、ケーブル５７は、第２の収納部５１ｃから壁部５１ａに設けられたストレートな切り欠き部５１ｄを通って、ケース５１外に導出されている。
【０００７】
このような構成を有する従来の検出スイッチは、バックル（図示せず）が非ラッチ状態からラッチ状態へ移行する際、アーム部５２ａと、マグネット５３を取り付けた摺動部５２ｂがコイルバネ５４に抗して移動し、すると、マグネット５３の移動によって、ＩＣホール素子５６に起電力が発生し、バックルのラッチ状態を検知する。
【０００８】
また、バックルがラッチ状態から非ラッチ状態へ移行する際、アーム部５２ａと、マグネット５３を取り付けた摺動部５２ｂがコイルバネ５４に押圧されて移動し、すると、マグネット５３の移動によって、ＩＣホール素子５６に起電力が発生し、バックルの非ラッチ状態を検知する。（例えば、特許文献１参照）
【０００９】
しかし、このような従来の検出スイッチは、ＩＣホール素子５６がプリント基板５５に半田付けされると共に、プリント基板５５がケース５１の第１の収納部５１ｂ内に配置されるため、ＩＣホール素子５６のプリント基板５５への取付誤差、及びプリント基板５５のケース５１への取付誤差が大きく、マグネット５３に対するＩＣホール素子５６の累積誤差が大きくなって、ＩＣホール素子５６の設置位置に大きなバラツキを生じ、このため、正確な検知ができないものであった。
【００１０】
また、プリント基板５５上にはＩＣホール素子５６が取り付けられるため、ＩＣホール素子５６とマグネット５３の位置が決定されることからプリント基板５５の位置も限定され、プリント基板５５の配置に自由度が得られない。
また、プリント基板５５上にはＩＣホール素子５６が取り付けられるため、プリント基板５５が大きくなって、コスト高になると共に、プリント基板５５の収納スペースが大きくなって、検出スイッチ全体が大型になるものであった。
また、ケース５１内には、可動する摺動部材５２とマグネット５３，及び，コイルバネ５４が収納されているため、ケース５１内部の封止樹脂による封止ができず、湿気や埃等からの防御ができない。
【００１１】
【特許文献１】
特開２００１−１５７６０３号公報
【００１２】
【発明が解決しようとする課題】
従来の検出スイッチは、ＩＣホール素子５６がプリント基板５５に半田付けされると共に、プリント基板５５がケース５１の第１の収納部５１ｂ内に配置されるため、ＩＣホール素子５６のプリント基板５５への取付誤差、及びプリント基板５５のケース５１への取付誤差が大きく、マグネット５３に対するＩＣホール素子５６の累積誤差が大きくなって、ＩＣホール素子５６の設置位置に大きなバラツキを生じ、このため、正確な検知ができないという問題がある。
【００１３】
また、プリント基板５５上にはＩＣホール素子５６が取り付けられるため、ＩＣホール素子５６とマグネット５３の位置が決定されることからプリント基板５５の位置も限定され、プリント基板５５の配置に自由度が得られないという問題がある。
また、プリント基板５５上にはＩＣホール素子５６が取り付けられるため、プリント基板５５が大きくなって、コスト高になると共に、プリント基板５５の収納スペースが大きくなって、検出スイッチ全体が大型になるという問題がある。
【００１４】
そこで、本発明は正確な検知ができると共に、プリント基板の配置に自由度があり、安価で、小型の検出スイッチを提供することを目的とする。
【００１５】
【課題を解決するための手段】
上記課題を解決するための第１の解決手段として、絶縁材からなり、収納部を有するケースと、前記収納部に収納された状態で、前記ケースに取り付けられたプリント基板と、このプリント基板に設けられた導電パターンに接続された磁気変換素子とを備え、前記磁気変換素子は、前記収納部に収納され、前記ケースに位置決めされた状態で、前記ケースに取り付けられた構成とした。
【００１６】
また、第２の解決手段として、前記磁気変換素子は、前記プリント基板の上部から離れた位置に取り付けられた構成とした。
また、第３の解決手段として、前記磁気変換素子を保持するための絶縁材からなる保持部材を有し、前記磁気変換素子を保持した前記保持部材が前記ケースに位置決めされた状態で、前記ケースに取り付けられた構成とした。
【００１７】
また、第４の解決手段として、前記ケースは、前記プリント基板と前記保持部材を取り付けるための複数個の突起を有し、前記突起が前記プリント基板、及び前記保持部材に設けられた孔に挿通され、前記突起の先端部が熱カシメされて、前記プリント基板と前記保持部材が前記ケースに取り付けられた構成とした。
また、第５の解決手段として、前記保持部材には、金属材からなる導体が埋設されて取り付けられ、前記磁気変換素子の端子が前記導体に接続されると共に、前記導体が前記導電パターンに接続された構成とした。
【００１８】
また、第６の解決手段として、前記収納部は、第１の収納部と、この第１の収納部より狭い第２の収納部を有し、前記第１の収納部には前記プリント基板が収納されると共に、前記第２の収納部には前記磁気変換素子と前記保持部材に設けられた前記磁気変換素子を保持する保持部が収納された構成とした。
また、第７の解決手段として、前記ケースの前記収納部は、底壁と、この底壁の外周部を囲むように配設された側壁で形成され、前記収納部内には、絶縁材からなる封止樹脂が設けられ、前記封止樹脂によって、前記プリント基板、前記磁気変換素子、及び前記保持部材の外表面が封止された構成とした。
【００１９】
また、第８の解決手段として、前記導電パターンに接続さえたノイズ低減用のコンデンサを有し、このコンデンサの外表面が前記封止樹脂によって封止された構成とした。
また、第９の解決手段として、前記磁気変換素子がバックルのラッチ状態と非ラッチ状態を検知するようにした構成とした。
【００２０】
【発明の実施の形態】
本発明の検出スイッチの図面を説明すると、図１は本発明の検出スイッチの平面図、図２は本発明の検出スイッチの正面図、図３は本発明の検出スイッチの下面図、図４は本発明の検出スイッチの側面図、図５は本発明の検出スイッチに係り、封止樹脂を取り去った状態を示す平面図、図６は図５の要部断面図である。
【００２１】
また、図７は本発明の検出スイッチに係るケースの平面図、図８は本発明の検出スイッチに係るケースの正面図、図９は本発明の検出スイッチに係るケースの下面図、図１０は本発明の検出スイッチに係るケースの側面図、図１１は本発明の検出スイッチに係るケースの要部断面図である。
【００２２】
また、図１２は本発明の検出スイッチに係る保持部材の平面図、図１３は本発明の検出スイッチに係る保持部材の正面図、図１４は本発明の検出スイッチに係る保持部材の下面図、図１５は本発明の検出スイッチに係る保持部材の側面図、図１６は本発明の検出スイッチに係り、保持部材と磁気変換素子を組み合わせた状態を示す正面図、図１７は本発明の検出スイッチに係り、保持部材と磁気変換素子を組み合わせた状態を示す下面図、図１８は本発明の検出スイッチに係るプリント基板の平面図である。
【００２３】
次に、本発明の検出スイッチの構成を図１〜図１８に基づいて説明すると、合成樹脂の成型品から成る箱状のケース１は、特に図７〜図１１に示すように、平板状の底壁１ａと、この底壁１ａの全外周部を囲むように配置された側壁１ｂと、この側壁１ｂと底壁１ａとで囲まれて形成された広い面積からなる第１の収納部１ｃと、側壁１ｂと底壁１ａとで囲まれて形成され、第１の収納部１ｃと繋がって設けられた狭い面積からなる第２の収納部１ｄを有する。
【００２４】
また、ケース１は、第１の収納部１ｃの中央部に設けられた円筒状の筒部１ｅと、この筒部１ｅの外周部に点在して設けられた第１の台座部１ｆと、この第１の台座部１ｆ上から突出する取付用の突起１ｇと、第２の収納部１ｄ内に設けられた第２の台座部１ｈと、この第２の台座部１ｈ上から突出する位置決めと取付用の突起１ｊを有する。
【００２５】
更に、ケース１は、第１の収納部１ｃに位置する側壁１ｂに設けられた複数個の孔１ｋと、一端が孔１ｋに繋がり、他端が開放状態となって、孔１ｋの幅寸法より小さい幅寸法からなる溝部１ｍと、孔１ｋに隣接して、一方が開放された状態で側壁１ｂによって第１の収納部１ｃと区画された区画室１ｎと、第２の収納部１ｄの外側に設けられた窪み部１ｐと、この窪み部１ｐの上部を覆うように設けられたガイド部１ｑを有する。
【００２６】
また、区画室１ｎは、側壁１ｂから延びる底板１ｒと、この底板１ｒの周囲を囲むように配置された側板１ｓとで形成されると共に、側壁１ｂと直角の位置にある側板１ｓには、コ字状の切り欠き部１ｔと、この切り欠き部１ｔの底部より上方に位置し、切り欠き部１ｔ側に突出する一対の凸部１ｕを有する。
【００２７】
合成樹脂の成型品からなる保持部材２は、特に図１２〜図１７に示すように、細長状の基部２ａと、基部２ａの正面側に設けられた凹状の位置決めと保持を兼ねる保持部２ｂと、この保持部２ｂの端部に設けられた爪部２ｃと、上下方向に貫通して基部２ａに設けられた２個の孔２ｄを有する。
【００２８】
また、この保持部材２には、金属材からなる２本の導体３，４が埋設して取り付けられ、導体３，４の一端側に設けられた孔を有する端子部３ａ、４ａは、保持部２ｂの下部に配置され、また、他端側に設けられた端子部３ｂ、４ｂは、基部２ａの端部側から上方に向かって突出している。
【００２９】
このような保持部材２は、孔２ｄに突起１ｊを挿通して、保持部材２をケース１に位置決めすると共に、基部２ａを第２の台座部１ｈに載置し、突起１ｊの先端部を熱カシメすることによって、ケース１に取り付けられる。
そして、保持部材２が取り付けられた際、保持部２ｂが窪み部１ｐに向かって配置されると共に、基部２ａの一端が第１の収納部１ｃ内に位置して、端子部３ｂ、４ｂが上方に向かって突出した状態となる。
【００３０】
ＩＣホール素子等からなる磁気変換素子５は、特に図１６，図１７に示すように、ホール素子を内蔵した本体部５ａと、本体部５ａか突出した２個の端子５ｂを有し、この磁気変換素子５は、本体部５ａが保持部２ｂの凹部内に収容、保持された状態で、爪部２ｃによって取り付けられている。
【００３１】
即ち、磁気変換素子５は、保持部材２に位置決めされた状態で保持されると共に、折曲された端子５ｂは、それぞれ導体３，４の端子部３ａ、４ａの孔に挿通され、半田付によって導体３，４に接続されている。
そして、磁気変換素子５と、この磁気変換素子５を保持する保持部２ｂは、第２の収納部１ｄ内に位置すると共に、本体部５ａの前面は、窪み部１Ｐ側の側壁１ｂに当接、或いは近接した状態となっている。
【００３２】
プリント基板６は、特に図１８に示すように、中央部に設けられた円形状の大きな孔６ａと、この孔６ａの外周部に設けられた凹部６ｂと、複数個の小孔６ｃを有する。
【００３３】
また、このプリント基板６上には、導電パターン７が設けられると共に、小孔６ｃの回りには、ランド部７ａが、また、小孔６ｃ以外の箇所にも２個のランド部７ｂが形成されている。
そして、このランド部７ａ、７ｂを除く導電パターン７と、露出状態にあるプリント基板６の表面は、レジスト膜（図１８のハッチング部分）が形成されている。
【００３４】
２本のケーブル８は、それぞれ導線８ａと、この導線８ａを被覆する柔軟性のある絶縁材からなる被覆部８ｂを有し、このケーブル８は、導線８ａがランド部７ｂに半田付けされて、導電パターン７に接続されている。
また、導電パターン７のランド部７ａには、ノイズ低減用のコンデンサ９が半田付けされた構成となっている。
【００３５】
そして、このようなプリント基板６は、孔６ａに筒部１ｅを挿通すると共に、凹部６ｂに突起１ｇを挿通して、プリント基板６を第１の台座部１ｆ上に載置し、突起１ｇの先端部を熱カシメすることによって、ケース１に取り付けられる。
すると、プリント基板６は第１の収納部１ｃ内に配置されると共に、プリント基板６の小孔６ｃには、端子部３ｂ、４ｂが挿通され、この端子部３ｂ、４ｂをランド部７ａに半田付けすると、磁気変換素子５が導体３，４を介して導電パターン７に接続される。
この時、プリント基板６の上部には磁気変換素子５が存在せず、磁気変換素子５はプリント基板６から離れた状態となっている。
【００３６】
また、２本のケーブル８は、被覆部８ｂが側壁１ｂに設けられた溝部１ｍを通して円形状の孔１ｋに圧入されて支持された状態で、第１の収納部１ｃ外に導出される。
この時、孔１ｋの幅寸法より小さい幅寸法の溝部１ｍによって、ケーブル８は、孔１ｋから抜けづらくなって、側壁１ｂに強く支持された状態となる。
【００３７】
また、第１の収納部１ｃ外に導出されたケーブル８は、第１の収納部１ｃに隣り合う区画室１ｎ内に導かれ、この区画室１ｎ内で略直角に折り曲げられた状態で、切り欠き部１ｔを通して区画室１ｎ外に導出される。
この時、切り欠き部１ｔ内に位置した２本のケーブル８の上部は、凸部１ｕに係止されて、切り欠き部１ｔからの抜け止めが行われている。
従って、凸部１ｕによって、ケーブル８は、折り曲げられた状態が維持されて、区画室１ｎ外に導出される。
【００３８】
ウレタン樹脂等の絶縁材からなる絶縁樹脂が第１，第２の収納部１ｃ、１ｄ内の全体にわたって充填されて、封止樹脂１０（図１のハッチング部分）が形成され、この封止樹脂１０によって、保持部材２，磁気変換素子５，プリント基板６，及びコンデンサ９の外表面が封止され、それらに対して、湿気や埃等の付着を防止している。
【００３９】
また、ケーブル８を支持する円形状の孔１ｋにおいて、溝部１ｍが位置する以外の孔１ｋ内には、被覆部８ｂが密着した状態となっているため、孔１ｋでの底壁１ａからの密閉位置が高くなり、従って、絶縁樹脂が第１，第２の収納部１ｃ、１ｄ内に充填された際、孔１ｋからの絶縁樹脂の漏れを少なくできる。
そして、孔１ｋから例え絶縁樹脂が漏れたとしても、その隣りに位置する区画室１ｎ内に流出して、絶縁樹脂の漏れによる外観を損なうことがない。
【００４０】
このような構成を有する検出スイッチは、筒部１ｅの位置で移動物体に取り付けられ、ここでは図示しないが、マグネットを取り付けた可動部材は、バックルによって可動すると共に、ケース１のガイド部１ｑをガイドにして可動するようになっている。
【００４１】
そして、バックルが非ラッチ状態からラッチ状態へ移行する際、可動部材がガイド部１ｑをガイドにして移動し、マグネットが窪み部１ｐ内で磁気変換素子５に接近して、磁気変換素子５によって、バックルのラッチ状態を検知する。
【００４２】
また、バックルがラッチ状態から非ラッチ状態へ移行する際、可動部材がガイド部１ｑをガイドにして移動し、マグネットが磁気変換素子５から遠ざかって、磁気変換素子５によって、バックルの非ラッチ状態を検知するようになっている。
【００４３】
なお、この実施例では、磁気変換素子５が保持部材２を介してケース１に取り付けられたもので説明したが、磁気変換素子５がケース１に直接位置決めされて取り付けられても良い。
また、磁気変換素子５は、導電パターン６に直接接続しても良く、また、保持部材２に埋設された導体３，４以外の接続線等によって接続しても良い。
【００４４】
【発明の効果】
本発明の検出スイッチは、絶縁材からなり、収納部を有するケースと、収納部に収納された状態で、ケースに取り付けられたプリント基板と、このプリント基板に設けられた導電パターンに接続された磁気変換素子とを備え、磁気変換素子は、収納部に収納され、ケースに位置決めされた状態で、ケースに取り付けられた構成とした。
このように、磁気変換素子がケースに位置決めされた状態でケースに取り付けられると、従来に比して、磁気変換素子の取付誤差が極めて小さくなり、磁気変換素子の設置位置が正確で、確実な検知ができる検出スイッチを提供できる。
また、磁気変換素子はプリント基板から離した状態で配置できるため、磁気変換素子の配置を自由にできると共に、プリント基板も自由な位置に配設できて、磁気変換素子、及びプリント基板の配置に自由度が得られる。
【００４５】
また、磁気変換素子は、プリント基板の上部から離れた位置に取り付けられたため、従来に比して、プリント基板を小型化できて、安価になると共に、プリント基板の収納スペースも小さくなって、小型の検出スイッチを提供できる。
【００４６】
また、磁気変換素子を保持するための絶縁材からなる保持部材を有し、磁気変換素子を保持した保持部材がケースに位置決めされた状態で、ケースに取り付けられたため、磁気変換素子のケースへの取付作業が簡単でると共に、磁気変換素子の取付誤差が極めて小さくなって、磁気変換素子の設置位置が正確で、確実な検知ができる検出スイッチを提供できる。
【００４７】
また、ケースは、プリント基板と保持部材を取り付けるための複数個の突起を有し、突起がプリント基板、及び保持部材に設けられた孔に挿通され、突起の先端部が熱カシメされて、プリント基板と保持部材が前記ケースに取り付けられたため、プリント基板、及び保持部材の取付作業が簡単で、生産性が良く、安価なものが得られる。
【００４８】
また、保持部材には、金属材からなる導体が埋設されて取り付けられ、磁気変換素子の端子が導体に接続されると共に、導体が導電パターンに接続されたため、配線作業が良好となり、生産性が良く、安価なものが得られる。
【００４９】
また、収納部は、第１の収納部と、この第１の収納部より狭い第２の収納部を有し、第１の収納部にはプリント基板が収納されると共に、第２の収納部には磁気変換素子と保持部材に設けられた磁気変換素子を保持する保持部が収納されたため、収納部の容積を小さくできて、小型化を図ることができると共に、小さい第２の収納部を設けることによって、マグネットが移動できる窪み部を効率よく形成できる。
【００５０】
また、ケースの収納部は、底壁と、この底壁の外周部を囲むように配設された側壁で形成され、収納部内には、絶縁材からなる封止樹脂が設けられ、封止樹脂によって、プリント基板、磁気変換素子、及び保持部材の外表面が封止されたため、ケース内部には、固定された部材のみが収納された状態となり、封止樹脂によって、保持部材，磁気変換素子，及びプリント基板の外表面が封止され、それらに対して、湿気や埃等の付着を防止したものが得られる。
【００５１】
また、導電パターンに接続さえたノイズ低減用のコンデンサを有し、このコンデンサの外表面が封止樹脂によって封止されたため、ノイズが少なく、且つ、コンデンサが湿気や埃等から防止されたものが得られる。
【００５２】
また、磁気変換素子がバックルのラッチ状態と非ラッチ状態を検知するようにしたため、特に、検知が確実で、磁気変換素子やプリント基板の配置に自由度があって、種々の形態に対応可能な要求のある移動物体に使用して好適な検出スイッチを提供できる。
【図面の簡単な説明】
【図１】本発明の検出スイッチの平面図。
【図２】本発明の検出スイッチの正面図。
【図３】本発明の検出スイッチの下面図。
【図４】本発明の検出スイッチの側面図。
【図５】本発明の検出スイッチに係り、封止樹脂を取り去った状態を示す平面図。
【図６】図５の要部断面図。
【図７】本発明の検出スイッチに係るケースの平面図。
【図８】本発明の検出スイッチに係るケースの正面図。
【図９】本発明の検出スイッチに係るケースの下面図。
【図１０】本発明の検出スイッチに係るケースの側面図。
【図１１】本発明の検出スイッチに係るケースの要部断面図。
【図１２】本発明の検出スイッチに係る保持部材の平面図。
【図１３】本発明の検出スイッチに係る保持部材の正面図。
【図１４】本発明の検出スイッチに係る保持部材の下面図。
【図１５】本発明の検出スイッチに係る保持部材の側面図。
【図１６】本発明の検出スイッチに係り、保持部材と磁気変換素子を組み合わせた状態を示す正面図。
【図１７】本発明の検出スイッチに係り、保持部材と磁気変換素子を組み合わせた状態を示す下面図。
【図１８】本発明の検出スイッチに係るプリント基板の平面図。
【図１９】従来の検出スイッチの平面図。
【図２０】従来の検出スイッチの正面図。
【符号の説明】
１  ケース
１ａ  底壁
１ｂ  側壁
１ｃ  第１の収納部
１ｄ  第２の収納部
１ｅ  筒部
１ｆ  第１の台座部
１ｇ  突起
１ｈ  第２の台座部
１ｊ  突起
１ｋ  孔
１ｍ  溝部
１ｎ  区画室
１ｐ  窪み部
１ｑ  ガイド部
１ｒ  底板
１ｓ  側板
１ｔ  切り欠き部
１ｕ  凸部
２  保持部材
２ａ  基部
２ｂ  保持部
２ｃ  爪部
２ｄ  孔
３  導体
３ａ、３ｂ  端子部
４  導体
４ａ、４ｂ  端子部
５  磁気変換素子
５ａ  本体部
５ｂ  端子
６  プリント基板
６ａ  孔
６ｂ  凹部
６ｃ  小孔
７  導電パターン
７ａ、７ｂ  ランド部
８  ケーブル
８ａ  導線
８ｂ  被覆部
９  コンデンサ
１０  封止樹脂
【図１】
2004319220.tif 000003
【図２】
2004319220.tif 000004
【図３】
2004319220.tif 000005
【図４】
2004319220.tif 000006
【図５】
2004319220.tif 000007
【図６】
2004319220.tif 000008
【図７】
2004319220.tif 000009
【図８】
2004319220.tif 000010
【図９】
2004319220.tif 000011
【図１０】
2004319220.tif 000012
【図１１】
2004319220.tif 000013
【図１２】
2004319220.tif 000014
【図１３】
2004319220.tif 000015
【図１４】
2004319220.tif 000016
【図１５】
2004319220.tif 000017
【図１６】
2004319220.tif 000018
【図１７】
2004319220.tif 000019
【図１８】
2004319220.tif 000020
【図１９】
2004319220.tif 000021
【図２０】
2004319220.tif 000022